(57)【要約】【課題】接続強度が調節可能であり、不慮の引っ張り力による機械落下や断線を防ぐ音響機器用コネクタ及び音響機器を提供する。【解決手段】一方のコネクタに永久磁石を内蔵し、他方のコネクタには永久磁石もしくは磁性体を内蔵し、少なくとも一方の永久磁石もしくは磁性体の位置が、接合面に対して垂直方向に可動させることで、使用者がコネクタの吸着力を自由に調節することができる。【選択図】図２
2011054397.tif 000002
【特許請求の範囲】
【請求項１】
それぞれのコネクタの対となる電極を接合することで電気的導通をとる音響機器用コネクタであって、
一方のコネクタに永久磁石を内蔵し、他方のコネクタには永久磁石もしくは磁性体を内蔵し、少なくとも一方の前記永久磁石もしくは前記磁性体の位置が、接合面に対して垂直方向に可動できることを特徴とする音響機器用コネクタ。
【請求項２】
前記電極は、中心を通る第一の電極と、前記第一の電極の同心円状にある一層もしくは複数層の第二の電極とからなることを特徴とする請求項１に記載の音響機器用コネクタ。
【請求項３】
前記永久磁石もしくは前記磁性体の位置を、ねじの回転によって、接合面に対して垂直に可動できることを特徴とする請求項１又は２に記載の音響機器用コネクタ。
【請求項４】
前記永久磁石もしくは前記磁性体の位置を、段階的な勘合によって、接合面に対して垂直に可動できることを特徴とする請求項１又は２に記載の音響機器用コネクタ。
【請求項５】
請求項１から４のいずれか一項に記載の音響機器用コネクタの対となる一方を内蔵することを特徴とする音響機器。
【発明の詳細な説明】
【技術分野】
【０００１】
本発明は、主として音響機器に接続するコネクタ、これを備える音響機器に関する。
【背景技術】
【０００２】
従来、音響機器に使用されているコネクタは、多くが板バネへの引っ掛かりを利用した機構を有する物であった。図１に従来の音響機器用コネクタの一例を示す。図１（ａ）のコネクタのオス側（以下プラグと呼ぶ）のへりに、図１（ｂ）のコネクタのメス側（以下ジャックと呼ぶ）に取り付けられた板バネ電極の信号線１０３、グランド線１０４が嵌合することで、図１（ｃ）のようにプラグ側の信号電極１０２、グランド電極１０１との間に導通をとる構造となっている。
【０００３】
また、板バネを利用して接続するものの他に、マグネットを用いて接続する型も存在する（例えば、特許文献１参照）。プラグとジャックそれぞれの接点が磁力で接触保持されるようにしたことにより、コードに不慮の引っ張り力が加わる場合にもコードの断線等を防止でき、また、着脱が容易となるようにしたものである。
【先行技術文献】
【特許文献】
【０００４】
【特許文献１】特公平８−３４１１４号公報
【発明の概要】
【発明が解決しようとする課題】
【０００５】
図１に示すような従来のコネクタ機構では、プラグ部分に強い引っ張り力がかかった際、コネクタが接続されている力が強すぎて、機器ごと落下してしまうという問題があった。
【０００６】
また、特許文献１で示されているようなマグネットコネクタ機構を利用する場合でも、永久磁石による接続力が強い場合は同様に引っ張り力による機器落下を引き起こし、逆に弱い場合はプラグが外れやすくなるため、組み込まれている磁石によって接続強度が予め決められており、状況によって調節する事が出来ないという問題点があった。
【０００７】
本発明は、プラグ部分に強い引っ張り力がかかった際、コネクタが接続されている力を調節することで、機器が床に落下してしまったり、使用中にプラグが抜け落ちてしまうという問題を予防する事が可能な音響機器用コネクタ及び音響機器を提供する事を目的とする。
【課題を解決するための手段】
【０００８】
上記課題を解決するために、本発明の音響機器用コネクタは、それぞれのコネクタの対となる電極を接合することで電気的導通をとる音響機器用コネクタであって、一方のコネクタに永久磁石を内蔵し、他方のコネクタには永久磁石もしくは磁性体を内蔵し、少なくとも一方の前記永久磁石もしくは前記磁性体の位置が、接合面に対して垂直方向に可動できることを特徴とする。
【０００９】
また本発明の音響機器用コネクタは、前記電極は、中心を通る第一の電極と、前記第一の電極の同心円状にある一層もしくは複数層の第二の電極とからなることを特徴とする。
【００１０】
また本発明の音響機器用コネクタは、前記永久磁石もしくは前記磁性体の位置を、ねじの回転によって、接合面に対して垂直に可動できることを特徴とする。
【００１１】
また本発明の音響機器用コネクタは、前記永久磁石もしくは前記磁性体の位置を、段階的な勘合によって、接合面に対して垂直に可動できることを特徴とする。
【００１２】
また本発明の音響機器は、音響機器用コネクタの対となる一方を内蔵することを特徴とする。
【発明の効果】
【００１３】
本発明の音響機器用コネクタ及び音響機器によれば、一方のコネクタに永久磁石を内蔵し、他方のコネクタには永久磁石もしくは磁性体を内蔵し、少なくとも一方の永久磁石もしくは磁性体の位置が、接合面に対して垂直方向に可動できるので、使用者がコネクタの吸着力を自由に調節することができる。
【図面の簡単な説明】
【００１４】
【図１】従来技術の板バネを用いたコネクタの一例を示した概略図である。
【図２】本発明の概念を示した概略図である。
【図３】本発明の第一実施形態のプラグ内部の機構を示した斜視図、断面図及び平面図である。
【図４】本発明の第一実施形態のプラグの構成を示した断面図である。
【図５】本発明の第一実施形態のプラグの使用方法を示した概略図である。
【図６】本発明の第一実施形態のジャックの構造を示した断面図である。
【図７】本発明の第二実施形態のプラグ内部の機構を示した斜視図、断面図及び平面図である。
【図８】本発明の第二実施形態のプラグの使用方法を示した概略図である。
【図９】本発明の第三実施形態の調律装置の外観図である。
【発明を実施するための形態】
【００１５】
以下、図面を参照して、本発明の音響機器用コネクタ及び音響機器の実施形態について説明する。
【００１６】
図２に、音響機器用コネクタの実施形態の概略図を示す。図２（ａ）はプラグ、図２（ｂ）はジャック、図２（ｃ）は接合の様子である。プラグ側に永久磁石２０１を挿入し、端面からのギャップを調節する機構を持つ。同心円上に電極２０２、２０３を配置することで、プラグを回転させても導通をとることができる。
【００１７】
また、ジャックにも永久磁石２０４を挿入し、同様に同心円上の電極２０５、２０６を配置させる。これにより、プラグの端面方向２０７へ永久磁石２０１を近づけることで、プラグとジャックの接触点２０９においての吸着力が増加し、逆に吸着力を減少させる場合は永久磁石２０１を端面と逆方向２０８へ移動させる。これにより、使用者が接続強度を調整する事が可能となる。
［第一実施形態］
本発明に係る音響機器用コネクタの第一実施形態について、図３〜図６を参照して説明する。
【００１８】
図３は円筒を回転させることで磁石の吸着力を調節する事の可能な機構を示す。図３（ａ）は斜視図、図３（ｂ）は図３（ａ）のＡ−Ａ’断面図、図３（ｃ）は図３（ａ）のＢ平面図である。
【００１９】
電極の役割を果たす芯線３０１に案内溝３０４が設けられ、それに対応し同軸の永久磁石３０３が周囲に配置されており、前記の永久磁石３０３は周がおねじ加工３０５を施されており、その外側には内側にめねじ加工３０６が切られた導体の円筒３０２があり、これは芯線３０１とは逆符号の電極となる。また前記芯線３０１は固定されているため、周の円筒３０２を回転させることで、内部の永久磁石３０３が上下に動き、吸着力を変化させる。
【００２０】
図４は図３の機構を利用したプラグの構成図である。円筒４０１にはローレット加工が施されており手で回せるようになっている。４０２の固定用円筒に、ローレット加工された円筒４０１と図３の機構４０７を挿入し、また、固定用円筒４０２からローレット加工された円筒４０１が抜けぬよう、円筒形の留め具４０６を挿入し、ローレット加工された円筒４０１と図３の機構４０７の間を固定する留め具４０５を挿入する。固定用円筒４０２を支持しながらローレット加工された円筒４０１を回転させると内部にある図３の機構４０７が動作する。また、電極４０３にリード線をはんだ付けする事で、プラグとして使用することが可能である。
【００２１】
図５は磁界の増減させる使用方法を示した概略図である。プラグの回転部５０１を周の方向５０３に回転させると、内部にある永久磁石５０２が移動する。矢印５０４および５０５は磁界の強さを表す。永久磁石５０２が端面に近づくほど、吸着力は強くなる。
【００２２】
図６はジャック側の構造の断面図である。６０１および６０３はプラグ側電極、６０２および６０４はジャックの電極であり、６０５はプラグ側の永久磁石、６０５はジャック側の永久磁石である。磁界の向きは、ジャックにプラグを近づけると引力が生じるようにしておき、この引力によってプラグ側の電極６０１とジャック側の電極６０２、プラグ側の電極６０３とジャック側の電極６０４が接触する。また、ジャック側電極６０２及び６０４にはバネ機構６０７を用いて軸方向に弾性力が生じるようにしておく。これで、極同士が接触した際、先端の平面度が高くなくても、電極が柔軟に接合する事が可能である。
【００２３】
この実施形態をとるメリットは、細かい吸着力の増減が調節可能であるという点である。
［第二実施形態］
本発明に係る音響機器用コネクタの第二実施形態について、図７〜図８を参照して説明する。
【００２４】
図７はスライド式で段階的に磁石の吸着力を調節する事の可能な機構を示す。図７（ａ）は斜視図、図７（ｂ）は図７（ａ）のＡ−Ａ’断面図、図７（ｃ）は図７（ａ）のＢ平面図である。
【００２５】
電極の役割を果たす芯線７０１に案内溝７０４が設けられ、それに対応し同軸の永久磁石７０３が周囲に配置されており、前記の永久磁石７０３は端に直方体の突起部分７０５を持つ。この突起部分の材料は問わない。その外側には同じく直方体の突起を持つ円筒７０２が配置され、前記永久磁石７０３とすっぽりはまるようになっており、直方体突起の側面には長溝７１０が彫られており、また円筒部分と相対する側面には複数の溝７０７が等間隔に、軸方向に沿うように彫られている。
【００２６】
直方体突起部分７０５の内部は空洞であり、その空洞は円筒７０２の複数溝７０７と合致する方向に開いている。空洞中にバネ７０８を入れ、また小さな金属球７０６を入れ、円筒７０２の長溝７１０と合致する方向の側面につまみ７０９を付け、これを手で持つことで、前記の長溝７１０の中を上下に自由に動かすことが出来るようにする。
【００２７】
図８は磁界の増減させる使用方法を示した概略図である。つまみ８０５を上下に動かすと、金属球８０６が次々と四角形の溝８０７に嵌り、内部の永久磁石８０２の端面とのギャップを変化させ、上方向８０１に移動させた際には、吸着力８０３は更に強い吸着力８０４となり、このように、吸着力を調節する事が可能である。
【００２８】
この実施形態をとるメリットは、段階的に吸着力の増減を調節可能であるという点が挙げられる。
［第三実施形態］
本発明に係る音響用コネクタを内蔵した音響機器として調律装置に適用した場合の実施形態について図９を参照して説明する。
【００２９】
図９は調律装置の外観図である。調律装置９０１の内部には第一実施形態、もしくは第二実施形態のジャック９０２が組み込まれており、それに対してプラグ９０３を接合して使用する。さらに、図１に示されているような、従来のコネクタにのみ対応している楽器や音楽用電子機器のコネクタ端子に対しては、メス側が本発明による機構を用いたジャックであり、オス側が従来のプラグとなっている、変換ソケット９０４などを使用する。
【符号の説明】
【００３０】
１０１  プラグ電極
１０２  ジャック電極
２０１、３０３、６０２、７０２  永久磁石
２０２、６０１、７０１  電極
３０１  芯線電極
３０２  円筒電極
３０４  リード溝
４０１  ダイアル
４０２  手固定部分
４０３  リード線に接続する電極
７０３  角筒
７０４  球
７０５、７０８  貫通した溝
７０７  つまみ
９０１  調律装置
９０４  変換ソケット
【図１】
2011054397.tif 000003
【図２】
2011054397.tif 000004
【図３】
2011054397.tif 000005
【図４】
2011054397.tif 000006
【図５】
2011054397.tif 000007
【図６】
2011054397.tif 000008
【図７】
2011054397.tif 000009
【図８】
2011054397.tif 000010
【図９】
2011054397.tif 000011